(57)【要約】【課題】通話を行う端末と情報を閲覧する端末とが直接接続されていなくとも着信者が容易に発信者に関する情報を閲覧可能であり、異なる事業者間でも効率良く着信者のみに情報を提供することができる。【解決手段】発信ユーザ情報記憶部は、発信端末の電話番号と、発信端末の電話番号と関連付けられた参照情報とを記憶する。着信ユーザ情報記憶部は、着信端末の電話番号と、着信端末の電話番号と関連付けられたアドレスとを記憶する。情報提供要求受信部は、呼処理サーバ２から発信端末の電話番号と着信端末の電話番号とを受信する。読出部は、発信端末の電話番号に関連付けられた参照情報を発信ユーザ情報記憶部から読み出し、着信端末の電話番号に関連付けられたアドレスを着信ユーザ情報記憶部から読み出す。参照情報送信部は、読み出したアドレス宛に読み出した参照情報を送信する。【選択図】図１
2010199723.tif 000002
【特許請求の範囲】
【請求項１】
発信端末の電話番号と、前記発信端末の電話番号と関連付けられた参照情報とを記憶する発信ユーザ情報記憶部と、
着信端末の電話番号と、前記着信端末の電話番号と関連付けられたアドレスとを記憶する着信ユーザ情報記憶部と、
呼接続に関するサービスを前記着信端末に提供する呼処理サーバから前記発信端末の電話番号と前記着信端末の電話番号とを受信する受信部と、
前記受信部が受信した前記発信端末の電話番号に関連付けられた前記参照情報を前記発信ユーザ情報記憶部から読み出し、前記受信部が受信した前記着信端末の電話番号に関連付けられた前記アドレスを前記着信ユーザ情報記憶部から読み出す読出部と、
前記読出部が読み出した前記アドレス宛に前記読出部が読み出した前記参照情報を送信する参照情報送信部と、
を具備することを特徴とするアドレス変換サーバ。
【請求項２】
着信端末の電話番号とアドレスを受信すると、受信した前記着信端末の電話番号と前記アドレスを関連付けて前記着信ユーザ情報記憶部に書き込む着信ユーザ情報登録部を具備することを特徴とする請求項１に記載のアドレス変換サーバ。
【請求項３】
前記着信ユーザ情報記憶部に書き込まれた前記着信端末の電話番号を前記呼処理サーバに送信する通知対象送信部を具備することを特徴とする請求項２に記載のアドレス変換サーバ。
【請求項４】
発信端末の電話番号と参照情報を受信すると、受信した前記発信端末の電話番号と前記参照情報を関連付けて前記発信ユーザ情報記憶部に書き込む発信ユーザ情報登録部を具備することを特徴とする請求項１から３までのいずれか１項に記載のアドレス変換サーバ。
【請求項５】
前記発信ユーザ情報記憶部は、参照情報としてインターネットにおけるアドレスを記憶することを特徴とする請求項１から４までのいずれか１項に記載のアドレス変換サーバ。
【請求項６】
発信端末の電話番号と着信端末の電話番号とを含む呼の発信要求を受信する発信要求受信部と、
前記発信要求受信部が受信した前記発信端末の電話番号と前記着信端末の電話番号とを送信する送信部と、
を具備する呼処理サーバと、
発信端末の電話番号と、前記発信端末の電話番号と関連付けられた参照情報とを記憶する発信ユーザ情報記憶部と、
着信端末の電話番号と、前記着信端末の電話番号と関連付けられたアドレスとを記憶する着信ユーザ情報記憶部と、
前記呼処理サーバから前記発信端末の電話番号と前記着信端末の電話番号とを受信する受信部と、
前記受信部が受信した前記発信端末の電話番号に関連付けられた前記参照情報を前記発信ユーザ情報記憶部から読み出し、前記受信部が受信した前記着信端末の電話番号に関連付けられた前記アドレスを前記着信ユーザ情報記憶部から読み出す読出部と、
前記読出部が読み出した前記アドレス宛に前記読出部が読み出した前記参照情報を送信する参照情報送信部と、
を具備するアドレス変換サーバと、
を備えることを特徴とする情報提供システム。
【請求項７】
前記発信ユーザ情報記憶部は、参照情報としてインターネットにおけるアドレスを記憶し、
前記アドレス変換サーバから前記インターネットにおけるアドレスを受信するアドレス受信部と、
前記アドレス受信部が受信した前記インターネットにおけるアドレスが示す情報をウェブサーバから取得する取得部と、
を具備する情報取得端末を備えることを特徴とする請求項６に記載の情報提供システム。
【請求項８】
呼処理サーバが、発信端末の電話番号と着信端末の電話番号とを含む呼の発信要求を受信するステップと、
前記呼処理サーバが、受信した前記発信端末の電話番号と前記着信端末の電話番号とを送信するステップと、
発信端末の電話番号と前記発信端末の電話番号と関連付けられた参照情報とを記憶する発信ユーザ情報記憶部と、着信端末の電話番号と前記着信端末の電話番号と関連付けられたアドレスとを記憶する着信ユーザ情報記憶部とを具備するアドレス変換サーバが、前記呼処理サーバから前記発信端末の電話番号と前記着信端末の電話番号とを受信するステップと、
前記アドレス変換サーバが、受信した前記発信端末の電話番号に関連付けられた前記参照情報を前記発信ユーザ情報記憶部から読み出し、受信した前記着信端末の電話番号に関連付けられた前記アドレスを前記着信ユーザ情報記憶部から読み出すステップと、
前記アドレス変換サーバが、読み出した前記アドレス宛に読み出した前記参照情報を送信するステップと、
を有することを特徴とする情報提供方法。
【発明の詳細な説明】
【技術分野】
【０００１】
本発明は、アドレス変換サーバ、情報提供システム及び情報提供方法に関する。
【背景技術】
【０００２】
現在、電話の通話相手に関する情報をインターネットを介して閲覧するための方法として、特許文献１に記載された技術がある。特許文献１に記載された技術では、電話の着信を受けた着信者の使用する端末が、電話番号を検索条件として、電話番号とＵＲＬ（Ｕｎｉｆｏｒｍ  Ｒｅｓｏｕｒｃｅ  Ｌｏｃａｔｏｒ）とを対応付けるデータベースからＵＲＬを取得する。このＵＲＬは、例えば電話の発信者に関する情報が掲載されているウェブページのアドレスである。
【先行技術文献】
【特許文献】
【０００３】
【特許文献１】特開２００２−２１５４９１号公報
【発明の概要】
【発明が解決しようとする課題】
【０００４】
しかしながら、特許文献１に記載された技術では、通話を行う電話端末と情報を閲覧するウェブブラウザなどを搭載した情報取得端末とが同一の端末であるか、或いは情報取得端末が電話端末から発信者の電話番号を取得できるよう情報取得端末と電話端末とが直接接続されていなければならない。そのため、例えば携帯電話機で着信した際に、自宅のパーソナルコンピュータのウェブブラウザで発信者に関する情報を閲覧するには、発信者の電話番号を着信者がパーソナルコンピュータに入力しなければならず、手間が掛かる、という問題がある。
また、電話番号を知っていれば、着信者でなくとも情報を閲覧可能であり、プライバシー侵害の問題がある。
また、呼を発信する端末と呼を着信する端末とが異なる呼サービスを利用している場合、呼サービスを提供する事業者毎に電話番号とＵＲＬを対応付けるデータベースを保持しなければならず、効率が悪い、という問題がある。
【０００５】
本発明は上記の点に鑑みてなされたものであり、その目的は、通話を行う端末と情報を閲覧する端末とが直接接続されていなくとも着信者が容易に発信者に関する情報を閲覧可能であり、異なる事業者間でも効率良く着信者のみに情報を提供することができるアドレス変換サーバ、情報提供システム及び情報提供方法を提供することにある。
【課題を解決するための手段】
【０００６】
本発明は上記の課題を解決するためになされたものであり、本発明の一態様は、発信端末の電話番号と、前記発信端末の電話番号と関連付けられた参照情報とを記憶する発信ユーザ情報記憶部と、着信端末の電話番号と、前記着信端末の電話番号と関連付けられたアドレスとを記憶する着信ユーザ情報記憶部と、呼接続に関するサービスを前記着信端末に提供する呼処理サーバから前記発信端末の電話番号と前記着信端末の電話番号とを受信する受信部と、前記受信部が受信した前記発信端末の電話番号に関連付けられた前記参照情報を前記発信ユーザ情報記憶部から読み出し、前記受信部が受信した前記着信端末の電話番号に関連付けられた前記アドレスを前記着信ユーザ情報記憶部から読み出す読出部と、前記読出部が読み出した前記アドレス宛に前記読出部が読み出した前記参照情報を送信する参照情報送信部と、を具備することを特徴とするアドレス変換サーバである。
【０００７】
この発明によれば、アドレス変換サーバが発信ユーザ情報記憶部と着信ユーザ情報記憶部とを備え、呼処理サーバから発信端末の電話番号と着信端末の電話番号を受信すると、発信端末の電話番号に対応する参照情報を着信端末の電話番号に対応する通知先アドレス宛に送信する。これにより、着信端末が着信した際に、着信者のアドレスに発信者の参照情報が送信されるため、通話を行う着信端末と情報の閲覧を行う情報取得端末が直接接続されていなくとも、着信者は容易に情報の閲覧を行うことができる。
また、アドレス変換サーバは、着信端末の電話番号に対応するアドレスのみに参照情報を送信するため、呼を着信した着信者のみが参照情報を取得することができる。
また、呼サービスを提供する呼処理サーバとは別のサーバ装置であるアドレス変換サーバが発信ユーザ情報記憶部と着信ユーザ情報記憶部とを備えているため、例えば発信端末と着信端末とが異なる呼サービスを利用していたとしても、事業者毎に発信ユーザ情報記憶部と着信ユーザ情報記憶部を備える必要がない。
【０００８】
また、本発明の一態様は、上記のアドレス変換サーバにおいて、着信端末の電話番号とアドレスを受信すると、受信した前記着信端末の電話番号と前記アドレスを関連付けて前記着信ユーザ情報記憶部に書き込む着信ユーザ情報登録部を具備することを特徴とする。
【０００９】
この発明によれば、着信者は例えばパーソナルコンピュータなどから着信ユーザ情報（着信端末の電話番号と着信者のアドレス）をアドレス変換サーバに送信することにより、着信端末に着信があった際に、発信者の参照情報をそのアドレス宛に送信するようアドレス変換サーバに登録することができる。
【００１０】
また、本発明の一態様は、上記のアドレス変換サーバにおいて、前記着信ユーザ情報記憶部に書き込まれた前記着信端末の電話番号を前記呼処理サーバに送信する通知対象送信部を具備することを特徴とする。
【００１１】
この発明によれば、アドレス変換サーバは、着信ユーザ情報記憶部に記憶されている着信端末を呼処理サーバに通知することができる。これにより、呼処理サーバは、アドレス変換サーバに登録（着信ユーザ情報記憶部に記憶）されている着信端末に着信があった場合に限り、情報提供要求データ（発信端末の電話番号と着信端末の電話番号）をアドレス変換サーバに送信することができる。これにより、登録されていない着信端末に着信があった場合に、情報提供データをアドレス変換サーバに送信することがないため、無駄な通信を防ぐことができる。
【００１２】
また、本発明の一態様は、上記のアドレス変換サーバにおいて、発信端末の電話番号と参照情報を受信すると、受信した前記発信端末の電話番号と前記参照情報を関連付けて前記発信ユーザ情報記憶部に書き込む発信ユーザ情報登録部を具備することを特徴とする。
【００１３】
この発明によれば、発信者は例えばパーソナルコンピュータなどから発信ユーザ情報（発信端末の電話番号と発信者の参照情報）をアドレス変換サーバに送信することにより、発信端末で発信した際に、発信者の参照情報を着信者に送信するようアドレス変換サーバに登録することができる。
【００１４】
また、本発明の一態様は、上記のアドレス変換サーバにおいて、前記発信ユーザ情報記憶部は、参照情報としてインターネットにおけるアドレスを記憶することを特徴とする。
【００１５】
この発明によれば、例えば参照情報が企業のホームページのＵＲＬだった場合には、着信者は、そのホームページを閲覧することにより発信者の身元がわかり、安心して通話をすることができる。また、発信者は、自身のウェブログのＵＲＬを参照情報として登録することにより、通話相手に自身の情報を手軽に提供することができる。
【００１６】
また、本発明の一態様は、発信端末の電話番号と着信端末の電話番号とを含む呼の発信要求を受信する発信要求受信部と、前記発信要求受信部が受信した前記発信端末の電話番号と前記着信端末の電話番号とを送信する送信部と、を具備する呼処理サーバと、発信端末の電話番号と、前記発信端末の電話番号と関連付けられた参照情報とを記憶する発信ユーザ情報記憶部と、着信端末の電話番号と、前記着信端末の電話番号と関連付けられたアドレスとを記憶する着信ユーザ情報記憶部と、前記呼処理サーバから前記発信端末の電話番号と前記着信端末の電話番号とを受信する受信部と、前記受信部が受信した前記発信端末の電話番号に関連付けられた前記参照情報を前記発信ユーザ情報記憶部から読み出し、前記受信部が受信した前記着信端末の電話番号に関連付けられた前記アドレスを前記着信ユーザ情報記憶部から読み出す読出部と、前記読出部が読み出した前記アドレス宛に前記読出部が読み出した前記参照情報を送信する参照情報送信部と、を具備するアドレス変換サーバと、を備えることを特徴とする情報提供システムである。
【００１７】
また、本発明の一態様は、上記の情報提供システムにおいて、前記発信ユーザ情報記憶部は、参照情報としてインターネットにおけるアドレスを記憶し、前記アドレス変換サーバから前記インターネットにおけるアドレスを受信するアドレス受信部と、前記アドレス受信部が受信した前記インターネットにおけるアドレスが示す情報をウェブサーバから取得する取得部と、を具備する情報取得端末を備えることを特徴とするである。
【００１８】
また、本発明の一態様は、呼処理サーバが、発信端末の電話番号と着信端末の電話番号とを含む呼の発信要求を受信するステップと、前記呼処理サーバが、受信した前記発信端末の電話番号と前記着信端末の電話番号とを送信するステップと、発信端末の電話番号と前記発信端末の電話番号と関連付けられた参照情報とを記憶する発信ユーザ情報記憶部と、着信端末の電話番号と前記着信端末の電話番号と関連付けられたアドレスとを記憶する着信ユーザ情報記憶部とを具備するアドレス変換サーバが、前記呼処理サーバから前記発信端末の電話番号と前記着信端末の電話番号とを受信するステップと、前記アドレス変換サーバが、受信した前記発信端末の電話番号に関連付けられた前記参照情報を前記発信ユーザ情報記憶部から読み出し、受信した前記着信端末の電話番号に関連付けられた前記アドレスを前記着信ユーザ情報記憶部から読み出すステップと、前記アドレス変換サーバが、読み出した前記アドレス宛に読み出した前記参照情報を送信するステップと、を有することを特徴とする情報提供方法である。
【発明の効果】
【００１９】
本発明によれば、アドレス変換サーバが発信ユーザ情報記憶部と着信ユーザ情報記憶部とを備え、呼処理サーバから発信端末の電話番号と着信端末の電話番号を受信すると、発信端末の電話番号に対応する参照情報を着信端末の電話番号に対応する通知先アドレス宛に送信する。これにより、着信端末が着信した際に、着信者のアドレスに発信者の参照情報が送信されるため、通話を行う着信端末と情報の閲覧を行う情報取得端末が直接接続されていなくとも、着信者は容易に情報の閲覧を行うことができる。
また、アドレス変換サーバは、着信端末の電話番号に対応するアドレスのみに参照情報を送信するため、呼を着信した着信者のみが参照情報を取得することができる。
また、呼サービスを提供する呼処理サーバとは別のサーバ装置であるアドレス変換サーバが発信ユーザ情報記憶部と着信ユーザ情報記憶部とを備えているため、例えば発信端末と着信端末とが異なる呼サービスを利用していたとしても、事業者毎に発信ユーザ情報記憶部と着信ユーザ情報記憶部を備える必要がない。
これにより、着信者は、呼の着信時に、発信者に関する情報を取得することが可能となる。例えば参照情報が企業のホームページのＵＲＬだった場合には、着信者は、電話を着信した時にそのホームページを閲覧することにより発信者の身元を確認することができ、安心して通話をすることができる。また、発信者は、例えば自身のウェブログなどのＵＲＬを参照情報として登録することにより、通話相手に自身の情報を手軽に提供することができる。
【図面の簡単な説明】
【００２０】
【図１】本発明の一実施形態による情報提供システムの構成を示すブロック図である。
【図２】本実施形態による呼処理サーバの機能構成を示すブロック図である。
【図３】本実施形態による通知対象記憶部が記憶する通知対象リストのデータ構造を示す概略図である。
【図４】本実施形態によるアドレス変換サーバの機能構成を示すブロック図である。
【図５】本実施形態による発信ユーザ情報記憶部が記憶する発信ユーザ情報テーブルのデータ構造を示す概略図である。
【図６】本実施形態による着信ユーザ情報記憶部が記憶する着信ユーザ情報テーブルのデータ構造示す概略図である。
【図７】本実施形態による情報提供処理の動作を示すシーケンス図である。
【図８】本実施形態による呼処理サーバにおける通知対象登録処理の手順を示すフローチャートである。
【図９】本実施形態による呼処理サーバにおける情報提供要求処理の手順を示すフローチャートである。
【図１０】本実施形態によるアドレス変換サーバにおける着信ユーザ情報登録処理の手順を示すフローチャートである。
【図１１】本実施形態によるアドレス変換サーバにおける発信ユーザ情報登録処理の手順を示すフローチャートである。
【図１２】本実施形態によるアドレス変換サーバにおける情報提供処理の手順を示すフローチャートである。
【図１３】本実施形態による情報取得端末における着信ユーザ情報登録処理の手順を示すフローチャートである。
【図１４】本実施形態による情報取得端末における参照情報取得処理の手順を示すフローチャートである。
【発明を実施するための形態】
【００２１】
以下、図面を参照しながら本発明の実施形態について詳しく説明する。
図１は、本発明の一実施形態による情報提供システムの構成を示すブロック図である。
情報提供システムは、アドレス変換サーバ１と、呼処理サーバ２と、発信端末３と、着信端末４と、情報取得端末５と、ウェブサーバ６とを含んで構成される。
【００２２】
発信端末３は、呼を発信する端末である。着信端末４は、呼を着信する端末である。呼処理サーバ２は、発信端末３と着信端末４に対して、ＳＩＰ（Ｓｅｓｓｉｏｎ  Ｉｎｉｔｉａｔｉｏｎ  Ｐｒｏｔｏｃｏｌ）による呼接続に関するサービスを提供するサーバ装置である。呼処理サーバ２と発信端末３、及び呼処理サーバ２と着信端末４とは、それぞれ呼ネットワークを介して接続されている。呼ネットワークは、ＮＧＮ（Ｎｅｘｔ  Ｇｅｎｅｒａｌｉｏｎ  Ｎｅｔｗｏｒｋ）やＩＭＳ（ＩＰ  Ｍｕｌｔｉ  ｍｅｄｉａ  Ｓｕｂｓｙｓｔｅｍｓ）等のＳＩＰによってセッション接続を行う通信ネットワークである。
【００２３】
アドレス変換サーバ１は、発信ユーザ情報と着信ユーザ情報とを保持するサーバ装置であって、呼処理サーバ２から発信端末３の電話番号と着信端末４の電話番号を受信すると、発信端末３を使用する発信者の参照情報を情報取得端末５に送信する。発信ユーザ情報は、発信者の電話番号と参照情報である。また、着信ユーザ情報は、着信者の電話番号と通知先アドレスである。参照情報とは、発信者に関する情報であり、本実施形態ではＵＲＬ（インターネットにおけるアドレス）である。通知先アドレスはメールアドレスやチャットのアドレスなどである。情報取得端末５は、着信端末４を使用する着信者が利用するパーソナルコンピュータなどの端末であって、アドレス変換サーバ１から参照情報（ＵＲＬ）を受信すると、そのＵＲＬが示す情報（ウェブページ）をウェブサーバ６から取得し、取得した情報をウェブブラウザなどで表示する。ＵＲＬが示す情報は、例えば発信者が作成したコンテンツ（個人のウェブログや企業のホームページなど）である。ウェブサーバ６は、発信者のＵＲＬが示す情報を保持するサーバ装置である。アドレス変換サーバ１と呼処理サーバ２と情報取得端末５とウェブサーバ６とはインターネットを介して接続されている。
【００２４】
図２は、本実施形態による呼処理サーバ２の機能構成を示すブロック図である。
呼処理サーバ２は、発信要求受信部２１と、呼処理部２２と、登録判定部２３と、通知対象記憶部２４と、情報提供要求送信部２５と、通知対象登録部２６とを含んで構成される。
発信要求受信部２１は、発信端末３から発信要求データを受信し、受信した発信要求データを呼処理部２２と登録判定部２３に出力する。発信要求データとは、通話を開始するためのメッセージであり、発信端末３の電話番号と着信端末４の電話番号とが含まれる。
呼処理部２２は、発信端末３と着信端末４に対して、ＳＩＰによる呼接続に関するサービスを提供する。呼処理部２２は、発信要求データが入力されると、着信端末４にその発信要求データを送信して、発信端末３と着信端末４の通話を開始する。
【００２５】
通知対象記憶部２４（記憶部）は、参照情報を通知する対象となる着信端末４の電話番号のリストである通知対象リストを記憶する。通知対象リストが保持するデータについては後述する。
登録判定部２３は、発信要求データが入力されると、入力された発信要求データに含まれる着信端末４の電話番号が通知対象記憶部２４の通知対象リストに登録されているか否かを判定する。そして、登録判定部２３は、着信端末４の電話番号が通知対象リストに登録されている場合に、発信端末３の電話番号と着信端末４の電話番号を情報提供要求送信部２５に出力する。
情報提供要求送信部２５（送信部）は、着信端末４の電話番号が通知対象リストに登録されている場合に限り、情報提供要求データをアドレス変換サーバ１に送信する。情報提供要求データは、発信者の参照情報を受信者に提供することを要求するメッセージであり、発信端末３の電話番号と着信端末４の電話番号を含む。
通知対象登録部２６は、アドレス変換サーバ１から通知対象登録要求データを受信すると、通知対象登録要求データに含まれる電話番号を通知対象リストに書き込む。通知対象登録要求データは、参照情報を通知する対象となる着信端末４の電話番号の登録を要求するメッセージであり、電話番号を含む。
【００２６】
図３は、本実施形態による通知対象記憶部２４が記憶する通知対象リストのデータ構造を示す概略図である。図示するように、通知対象リストは、電話番号のリストであり、通知対象電話番号の項目の列を有している。通知対象電話番号は、参照情報を通知する対象となる着信端末４の電話番号である。この図に示す例では、電話番号Ａと電話番号Ｂと電話番号Ｃと電話番号Ｄとが通知対象リストに登録されている。
【００２７】
図４は、本実施形態によるアドレス変換サーバ１の機能構成を示すブロック図である。
アドレス変換サーバ１は、情報提供要求受信部１１と、読出部１２と、着信ユーザ情報記憶部１３と、発信ユーザ情報記憶部１４と、参照情報送信部１５と、着信ユーザ情報登録部１６と、発信ユーザ情報登録部１７と、通知対象送信部１８とを含んで構成される。
【００２８】
発信ユーザ情報記憶部１４は、発信端末３の電話番号と発信者の参照情報を対応付ける発信ユーザ情報テーブルを記憶する。発信ユーザ情報テーブルが保持するデータについては後述する。
着信ユーザ情報記憶部１３は、着信端末４の電話番号と着信者の通知先アドレスを対応付ける着信ユーザ情報テーブルを記憶する。着信ユーザ情報テーブルが保持するデータについては後述する。
情報提供要求受信部１１（受信部）は、呼処理サーバ２から情報提供要求データを受信し、受信した情報提供要求データを読出部１２に出力する。
読出部１２は、情報提供要求データに含まれる発信端末３の電話番号に対応する参照情報を発信ユーザ情報テーブルから読み出し、情報提供要求データに含まれる着信端末４の電話番号に対応する通知先アドレスを着信ユーザ情報テーブルから読み出す。そして、読出部１２は、読み出した通知先アドレスと参照情報を参照情報送信部１５に出力する。
参照情報送信部１５は、入力された通知先アドレスに対応する情報取得端末５（通知アドレス宛）に入力された参照情報と発信端末３の電話番号を送信する。
【００２９】
発信ユーザ情報登録部１７は、発信者が使用する例えばパーソナルコンピュータなどの端末から、発信端末３の電話番号と発信者の参照情報を受信すると、受信した電話番号と参照情報を対応付けて発信ユーザ情報テーブルに書き込む（登録する）。
着信ユーザ情報登録部１６は、着信者が使用する例えばパーソナルコンピュータなどの端末から、着信端末４の電話番号と着信者の通知先アドレスを受信すると、受信した電話番号と通知先アドレスを対応付けて着信ユーザ情報テーブルに書き込む（登録する）。
なお、発信ユーザ情報登録部１７及び着信ユーザ情報登録部１６は、例えばユーザ認証等により認証されたユーザ（発信者又は着信者）の発信ユーザ情報又は着信ユーザ情報のみを登録するようにしてもよい。
通知対象送信部１８は、着信端末４の電話番号と着信者の通知先アドレスが着信ユーザ情報テーブルに書き込まれると、書き込まれた着信端末４の電話番号を含む通知対象登録要求データを呼処理サーバ２に送信する。
【００３０】
図５は、本実施形態による発信ユーザ情報記憶部１４が記憶する発信ユーザ情報テーブルのデータ構造を示す概略図である。図示するように、発信ユーザ情報テーブルは、行と列からなる２次元の表形式のデータであり、発信電話番号と、参照情報の各項目の列を有している。このテーブルの各行は発信電話番号毎に存在する。発信電話番号は、発信端末３の電話番号である。参照情報は、発信者の参照情報である。この図に示す例では、電話番号Ａに対応する参照情報はＵＲＬ１である。また、電話番号Ｂに対応する参照情報はＵＲＬ２である。また、電話番号Ｃに対応する参照情報はＵＲＬ３である。
【００３１】
図６は、本実施形態による着信ユーザ情報記憶部１３が記憶する着信ユーザ情報テーブルのデータ構造を示す概略図である。図示するように、着信ユーザ情報テーブルは、行と列からなる２次元の表形式のデータであり、通知対象電話番号と、通知先アドレスの各項目の列を有している。このテーブルの各行は通知対象電話番号毎に存在する。通知対象電話番号は、着信端末４の電話番号である。通知先アドレスは、着信者の通知先アドレスである。この図に示す例では、電話番号Ａに対応する通知先アドレスはアドレスａである。また、電話番号Ｂに対応する通知先アドレスはアドレスｂである。また、電話番号Ｃに対応する通知先アドレスはアドレスｃである。また、電話番号Ｄに対応する通知先アドレスはアドレスｄである。
【００３２】
次に、図７から図１４を参照して、情報提供システムによる情報提供処理について説明する。なお、情報提供処理の前に発信者と着信者は以下の事前処理を行う。
（１）発信者が利用する端末（例えばパーソナルコンピュータや携帯電話機など）が、アドレス変換サーバ１に対して発信ユーザ情報（電話番号と参照情報）を送信する。アドレス変換サーバ１は、受信した発信ユーザ情報を発信ユーザ情報テーブルに書き込む。
（２）着信者が利用する情報取得端末５が、アドレス変換サーバ１に対して着信ユーザ情報（電話番号と通知先アドレス）を送信する。アドレス変換サーバ１は、受信した着信ユーザ情報を着信ユーザ情報テーブルに書き込む。そして、アドレス変換サーバ１は、登録した着信者の電話番号を含む通知対象登録要求データを呼処理サーバ２に送信する。呼処理サーバ２は、受信した電話番号を通知対象リストに書き込む。
【００３３】
図７は、本実施形態による情報提供処理の動作を示すシーケンス図である。
まず、発信端末３が、発信要求データを呼処理サーバ２に送信する（ステップＳ１）。呼処理サーバ２は、受信した発信要求データを着信端末４に送信する（ステップＳ２）ことにより、発信端末３と着信端末４の通話を開始する。そして、呼処理サーバ２は、発信要求データに含まれる着信端末４の電話番号が通知対象リストに登録されている場合に、情報提供要求データをアドレス変換サーバ１に送信する（ステップＳ３）。アドレス変換サーバ１は、受信した情報提供要求データに含まれる発信端末３の電話番号に対応する参照情報を発信ユーザ情報テーブルから読み出し、受信した情報提供要求データに含まれる着信端末４の電話番号に対応する通知先アドレスを着信ユーザ情報テーブルから読み出す。そして、アドレス変換サーバ１は、読み出した通知先アドレスに対応する情報取得端末５に読み出した参照情報（ＵＲＬ）を送信する（ステップＳ４）。着信者が使用する情報取得端末５は、参照情報（ＵＲＬ）が示す情報（ウェブページ）をウェブサーバ６から取得する（ステップＳ５）。
【００３４】
図８は、本実施形態による呼処理サーバ２における通知対象登録処理の手順を示すフローチャートである。
まず、ステップＳ１０１では、通知対象登録部２６が、アドレス変換サーバ１から通知対象登録要求データを受信する。
次に、ステップＳ１０２では、通知対象登録部２６は、受信した通知対象登録要求データに含まれる電話番号を通知対象リストに書き込む（登録する）。
【００３５】
図９は、本実施形態による呼処理サーバ２における情報提供要求処理の手順を示すフローチャートである。
まず、ステップＳ２０１では、発信要求受信部２１が、発信端末３から発信要求データを受信する。
次に、ステップＳ２０２では、呼処理部２２が、受信した発信要求データを着信端末４に送信することにより、発信端末３と着信端末４の通話を開始する。
次に、ステップＳ２０３では、登録判定部２３が、着信端末４の電話番号が通知対象リストに登録されているか否かを判定する。着信端末４の電話番号が通知対象リストに登録されている場合には、ステップＳ２０４へ進む。一方、着信端末４の電話番号が通知対象リストに登録されていない場合には、処理を終了する。
ステップＳ２０４では、情報提供要求送信部２５が、発信端末３の電話番号と着信端末４の電話番号を含む情報提供要求データをアドレス変換サーバ１に送信する。
【００３６】
図１０は、本実施形態によるアドレス変換サーバ１における着信ユーザ情報登録処理の手順を示すフローチャートである。
まず、ステップＳ３０１では、着信ユーザ情報登録部１６が、着信ユーザ情報を受信する。
次に、ステップＳ３０２では、着信ユーザ情報登録部１６が、受信した着信ユーザ情報を着信ユーザ情報テーブルに書き込む（登録する）。
次に、ステップＳ３０３では、通知対象送信部１８が、登録した着信ユーザ情報の電話番号を含む通知対象登録要求データを呼処理サーバ２に送信する。
【００３７】
図１１は、本実施形態によるアドレス変換サーバ１における発信ユーザ情報登録処理の手順を示すフローチャートである。
まず、ステップＳ４０１では、発信ユーザ情報登録部１７が、発信ユーザ情報を受信する。
次に、ステップＳ４０２では、発信ユーザ情報登録部１７が、発信ユーザ情報を発信ユーザ情報テーブルに書き込む（登録する）。
【００３８】
図１２は、本実施形態によるアドレス変換サーバ１における情報提供処理の手順を示すフローチャートである。
まず、ステップＳ５０１では、情報提供要求受信部１１が、呼処理サーバ２から情報提供要求データを受信する。
次に、ステップＳ５０２では、読出部１２が、受信した情報提供要求データに含まれる発信端末３の電話番号が発信ユーザ情報テーブルに登録されているか否かを判定する。発信端末３の電話番号が発信ユーザ情報テーブルに登録されている場合には、ステップＳ５０３へ進む。一方、発信端末３の電話番号が発信ユーザ情報テーブルに登録されていない場合には、処理を終了する。
【００３９】
ステップＳ５０３では、読出部１２が、受信した情報提供要求データに含まれる発信端末３の電話番号に対応する参照情報を発信ユーザ情報テーブルから読み出す。
次に、ステップＳ５０４では、読出部１２が、受信した情報提供要求データに含まれる着信端末４の電話番号に対応する通知先アドレスを着信ユーザ情報テーブルから読み出す。
次に、ステップＳ５０５では、参照情報送信部１５が、通知先アドレスに対応する情報取得端末５に読み出した参照情報と発信端末３の電話番号を送信する。
【００４０】
図１３は、本実施形態による情報取得端末５における着信ユーザ情報登録処理の手順を示すフローチャートである。
ステップＳ６０１では、情報取得端末５は、アドレス変換サーバ１に着信端末４の電話番号である通知対象電話番号と通知先アドレスを送信する。これにより、アドレス変換サーバ１に着信ユーザ情報が登録される。
【００４１】
図１４は、本実施形態による情報取得端末５における参照情報取得処理の手順を示すフローチャートである。
まず、ステップＳ７０１では、情報取得端末５（アドレス受信部）は、参照情報（ＵＲＬ）をアドレス変換サーバ１から受信する。
次に、ステップＳ７０２では、情報取得端末５は、ウェブブラウザを起動する。
次に、ステップＳ７０３では、情報取得端末５（取得部）は、ウェブブラウザを用いて受信したＵＲＬにアクセスし、ＵＲＬが示す情報（ウェブページ）をウェブサーバ６から取得する。
次に、ステップＳ７０４では、情報取得端末５は、取得したウェブページをウェブブラウザにより表示する。
【００４２】
このように、本実施形態によれば、アドレス変換サーバ１が発信ユーザ情報と着信ユーザ情報とを保持し、呼処理サーバ２から発信端末３の電話番号と着信端末４の電話番号を受信すると、発信端末３の電話番号に対応する参照情報を着信端末４の電話番号に対応する通知先アドレス宛に送信する。これにより、着信端末４が着信した際に、着信者のアドレスに発信者の参照情報が送信されるため、通話を行う着信端末４と情報の閲覧を行う情報取得端末５とが直接接続されていなくとも、着信者は容易に情報の閲覧を行うことができる。
また、アドレス変換サーバ１は、着信端末４の電話番号に対応する通知先アドレスのみに参照情報を送信するため、呼を着信した着信者のみが参照情報を取得することができる。
また、呼サービスを提供する呼処理サーバ２とは別のサーバ装置であるアドレス変換サーバ１が発信ユーザ情報と着信ユーザ情報とを保持しているため、例えば発信端末３と着信端末４とが異なる呼サービスを利用していたとしても、事業者毎に発信ユーザ情報と着信ユーザ情報を保持する必要がない。
これにより、着信者は、呼の着信時に、発信者に関する情報を取得することが可能となる。例えば参照情報が企業のホームページのＵＲＬだった場合には、着信者は、電話を着信した時にそのホームページを閲覧することにより発信者の身元を確認することができ、安心して通話をすることができる。また、発信者は、例えば自身のウェブログなどのＵＲＬを参照情報として登録することにより、通話相手に自身の情報を手軽に提供することができる。
【００４３】
また、図２に示す呼処理サーバ及び図４に示すアドレス変換サーバの機能を実現するためのプログラムをコンピュータ読み取り可能な記録媒体に記録して、この記録媒体に記録されたプログラムをコンピュータシステムに読み込ませ、実行することにより、情報提供処理を行ってもよい。なお、ここでいう「コンピュータシステム」とは、ＯＳや周辺機器等のハードウェアを含むものであってもよい。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００４４】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００４５】
以上、図面を参照してこの発明の一実施形態について詳しく説明してきたが、具体的な構成は上述のものに限られることはなく、この発明の要旨を逸脱しない範囲内において様々な設計変更等をすることが可能である。
例えば、本実施形態では、参照情報がＵＲＬであるが、例えば文字列（発信者の名前等）、画像、デジタル署名などであってもよい。
また、本実施形態では、着信端末４と情報取得端末５とを異なる端末としたが、同一の端末であってもよい。
また、本実施形態では、発信端末３と着信端末４は、同一の事業者が管理する呼サービスを利用しているが、異なる事業者が管理する呼サービスを利用してもよい。この場合、発信端末３と着信端末４の呼は、異なる呼処理サーバ２が処理する。
【符号の説明】
【００４６】
１…アドレス変換サーバ  ２…呼処理サーバ  ３…発信端末  ４…着信端末  ５…情報取得端末  ６…ウェブサーバ  １１…情報提供要求受信部  １２…読出部  １３…着信ユーザ情報記憶部  １４…発信ユーザ情報記憶部  １５…参照情報送信部  １６…着信ユーザ情報登録部  １７…発信ユーザ情報登録部  １８…通知対象送信部  ２１…発信要求受信部  ２２…呼処理部  ２３…登録判定部  ２４…通知対象記憶部  ２５…情報提供要求送信部  ２６…通知対象登録部
【図１】
2010199723.tif 000003
【図２】
2010199723.tif 000004
【図３】
2010199723.tif 000005
【図４】
2010199723.tif 000006
【図５】
2010199723.tif 000007
【図６】
2010199723.tif 000008
【図７】
2010199723.tif 000009
【図８】
2010199723.tif 000010
【図９】
2010199723.tif 000011
【図１０】
2010199723.tif 000012
【図１１】
2010199723.tif 000013
【図１２】
2010199723.tif 000014
【図１３】
2010199723.tif 000015
【図１４】
2010199723.tif 000016